(57)【要約】【課題】容易かつ安価に製作することができ、比重が多少大きい荷物や大量の荷物を良好に輸送し荷降ろしすることができるトラックを提供する。【解決手段】箱形荷台１２の底部に、複数の床部材２６ａが並設されて成る可動床２６を備える。可動床２６は、複数の床部材２６ａの上面で荷物Ｎを受け、複数の床部材２６ａが往復移動することによって荷物Ｎを後部ドア２４の方向に移送する。２つの側壁２０，２２は、各内面に、ロープ６０(1)，６０(2)の基端部を固定する第一のフック６２(1)，６２(2)と、先端部を着脱可能に保持する第二のフック６４(1)，６４(2)とを一対に備える。荷物Ｎの輸送中、荷物Ｎの中で架設されているロープ６０(1)，６０(2)によって、側壁２０，２２の中央部の離間距離が一定以上にならないように制限される。荷降ろし時、荷物Ｎが可動床２６によって移送され、ロープ６０(1)，６０(2)は、荷物Ｎに押されて自動的に退避する。【選択図】図１
2020029106.tif 000002
【特許請求の範囲】
【請求項１】
底部の周囲が前壁、２つの側壁及び後部ドアによって囲まれた箱形荷台を有し、流動性を有した固体の荷物を前記箱形荷台の中に入れて輸送するトラックにおいて、
前記箱形荷台の底部には、前後方向に長い複数の床部材が左右方向に並設されて成る可動床が設けられ、前記可動床は、複数の床部材の上面で前記荷物を受け、前記複数の床部材が前後方向に往復移動することによって前記荷物を前記後部ドアの方向に移送するものであり、
前記２つの側壁の内面には、ロープの基端部を固定するための第一のフックと、前記ロープの先端部を着脱可能に保持するための第二のフックとが一対に設けられ、
前記箱形荷台は、前記第一及び第二のフックの間に前記ロープが架設された状態で前記荷物が入れられ、荷物の輸送中、前記荷物の中に埋まった前記ロープによって、前記２つの側壁の中央部の離間距離が一定以上にならないように制限され、
前記後部ドアを開けて荷降ろしする時、前記荷物が前記可動床によって前記後部ドアの方向に移送され、前記ロープは、前記荷物に押されて前記先端部が前記第二のフックから外れて自動的に退避することを特徴とするトラック。
【請求項２】
前記２つの側壁は、外壁と、前記外壁の内面の上側領域を覆うように前記外壁に取り付けられた金属製の上側平板と、前記外壁の内面の下側領域を覆うように前記外壁に取り付けられた金属製の下側平板とで各々構成され、
前記上側平板は、下端部がＬ字状に屈曲して内側に突出し、前記下側平板は、上端部がＬ字状に屈曲して内側に突出し、前記上側平板の下端部と前記下側平板の上端部とが重なって相互に接続されている請求項１記載のトラック。
【請求項３】
前記２つの側壁の中の一方の内面に、前記２つの側壁を相互に連結するための可動連結梁と、前記可動連結梁の基端部を軸支する軸部と、前記可動連結梁の先端部を着脱可能に固定する第一の固定部とが設けられ、
他方の前記側壁の内面に、前記可動連結梁の先端部を着脱可能に固定する第二の固定部が設けられている請求項１又は２記載のトラック。
【請求項４】
底部の周囲が前壁、２つの側壁及び後部ドアによって囲まれた箱形荷台を有し、一定の流動性を有した固体の荷物を前記箱形荷台の中に入れて輸送するトラックにおいて、
前記箱形荷台の底部には、前後方向に長い複数の床部材が左右方向に並設されて成る可動床が設けられ、前記可動床は、複数の床部材の上面で前記荷物を受け、前記複数の床部材が前後方向に往復移動することによって前記荷物を前記後部ドアの方向に移送するものであり、
前記２つの側壁は、外壁と、前記外壁の内面の上側領域を覆うように前記外壁に固定された金属製の上側平板と、前記外壁の内面の下側領域を覆うように前記外壁に固定された金属製の下側平板とで各々構成され、
前記上側平板は、下端部がＬ字状に屈曲して内側に突出し、前記下側平板は、上端部がＬ字状に屈曲して内側に突出し、前記上側平板の下端部と前記下側平板の上端部とが重なって相互に接続されていることを特徴とするトラック。
【請求項５】
前記外壁は、上下方向と直交する方向の断面が波形に形成された金属製の波板により形成されている請求項１乃至４のいずれか記載のトラック。
【発明の詳細な説明】
【技術分野】
【０００１】
本発明は、燃料チップ、家畜用の飼料、各種廃棄物等の固形物の集合体であり、流動性を有した荷物の輸送に使用されるトラックに関する。
【背景技術】
【０００２】
従来、例えば特許文献１に開示されているように、小片状の軽量チップを運搬する運搬車であって、前壁、左壁、右壁及び後部ドアを備えた荷台に移動床が設けられ、さらに、移動床に前壁とほぼ同じ大きさの移動壁を設けた運搬車が利用されている。この運搬車は、ダンプカーのように荷台を傾動させなくても荷物を降ろすことができるという利点があり、移動床及び移動壁を移動させることによって、荷物を荷台の後部から搬出することができる。移動床の例として、ベルトコンベアやウォーキングハース等が挙げられている。
【０００３】
本願発明者は、流動性を有した荷物を輸送するためのトラックにおいて、荷台を傾動させずに荷物を降ろすため、荷台の底部に、前後方向に長い複数の床部材を左右方向に並設した可動床を設けることを検討した。可動床は、上面で前記荷物を受け、複数の床部材が前後方向に往復移動することによって荷物を荷台後部の搬出口の方向に移送するものであり、例えば、特許文献２のバルク材冷却装置等にも使用されている。
【先行技術文献】
【特許文献】
【０００４】
【特許文献１】特開２００５−１１２１５２号公報
【特許文献２】特開２０１３−１３３９５４号公報
【発明の概要】
【発明が解決しようとする課題】
【０００５】
特許文献１の運搬車は、荷台に移動床と移動壁とを設置しなければならず、荷物移送機構の構成が複雑になる。しかも、荷物の排出当初に、荷台の荷物全体を移動させることができる力を要し、動力的に搬送可能な荷物が限られている。その他、特許文献１の段落００１１には、比重が大きい荷物を輸送する場合、荷台の剛性を高くする必要があること記載されているが、剛性を高くするための具体的な方法は記載されていない。
【０００６】
本願発明者は、荷台に上記の可動床を設置して試験を行ったところ、比重が多少大きい荷物であっても荷降ろしを行うことができた。しかし、荷降ろしをよりスムーズに行うには、輸送中の荷台の変形が問題であることが分かった。
【０００７】
本発明は、上記背景技術に鑑みて成されたものであり、容易かつ安価に製作することができ、比重が多少大きい荷物や大量の荷物を良好に輸送し荷降ろしすることができるトラックを提供することを目的とする。
【課題を解決するための手段】
【０００８】
本発明は、底部の周囲が前壁、２つの側壁及び後部ドアによって囲まれた箱形荷台を有し、流動性を有した固体の荷物を前記箱形荷台の中に入れて輸送するトラックであって、
前記箱形荷台の底部には、前後方向に長い複数の床部材が左右方向に並設されて成る可動床が設けられ、前記可動床は、複数の床部材の上面で前記荷物を受け、前記複数の床部材が前後方向に往復移動することによって前記荷物を前記後部ドアの方向に移送するものであり、前記２つの側壁の内面には、ロープの基端部を固定するための第一のフックと、前記ロープの先端部を着脱可能に保持するための第二のフックとが一対に設けられ、
前記箱形荷台は、前記第一及び第二のフックの間に前記ロープが架設された状態で前記荷物が入れられ、荷物の輸送中、前記荷物の中に埋まった前記ロープによって、前記２つの側壁の中央部の離間距離が一定以上にならないように制限され、前記後部ドアを開けて荷降ろしする時、前記荷物が前記可動床によって前記後部ドアの方向に移送され、前記ロープは、前記荷物に押されて前記先端部が前記第二のフックから外れて自動的に退避するトラックである。
【０００９】
前記２つの側壁は、外壁と、前記外壁の内面の上側領域を覆うように前記外壁に取り付けられた金属製の上側平板と、前記外壁の内面の下側領域を覆うように前記外壁に取り付けられた金属製の下側平板とで各々構成され、前記上側平板は、下端部がＬ字状に屈曲して内側に突出し、前記下側平板は、上端部がＬ字状に屈曲して内側に突出し、前記上側平板の下端部と前記下側平板の上端部とが重なって相互に接続されている構成にすることができる。
【００１０】
前記２つの側壁の中の一方の内面に、前記２つの側壁を相互に連結するための可動連結梁と、前記可動連結梁の基端部を軸支する軸部と、前記可動連結梁の先端部を着脱可能に固定する第一の固定部とが設けられ、他方の前記側壁の内面に、前記可動連結梁の先端部を着脱可能に固定する第二の固定部が設けられている構成にしてもよい。
【００１１】
また、本発明は、底部の周囲が前壁、２つの側壁及び後部ドアによって囲まれた箱形荷台を有し、一定の流動性を有した固体の荷物を前記箱形荷台の中に入れて輸送するトラックであって、
前記箱形荷台の底部には、前後方向に長い複数の床部材が左右方向に並設されて成る可動床が設けられ、前記可動床は、複数の床部材の上面で前記荷物を受け、前記複数の床部材が前後方向に往復移動することによって前記荷物を前記後部ドアの方向に移送するものであり、
前記２つの側壁は、外壁と、前記外壁の内面の上側領域を覆うように前記外壁に固定された金属製の上側平板と、前記外壁の内面の下側領域を覆うように前記外壁に固定された金属製の下側平板とで各々構成され、前記上側平板は、下端部がＬ字状に屈曲して内側に突出し、前記下側平板は、上端部がＬ字状に屈曲して内側に突出し、前記上側平板の下端部と前記下側平板の上端部とが重なって相互に接続されているトラックである。
【００１２】
前記外壁は、上下方向と直交する方向の断面が波形に形成された金属製の波板により形成されているとよい。
【発明の効果】
【００１３】
本発明のトラックは、既存のトレーラや海上コンテナ等を利用して容易かつ安価に製作できる箱形荷台と、可動床を用いたシンプルな荷物搬出機構とを備え、比重が多少大きい荷物であっても、輸送と荷降ろしを良好に行うことができる。
【００１４】
特に、請求項１，２，３記載のトラックは、箱形荷台の２つの側壁の間にロープを架設することによって、輸送中、側壁が荷物に強く押された時に、側壁の中央部が変形する不具合（左右に膨出する不具合）を防止することができる。また、荷物を可動床で後部ドアから搬出する時、架設されたロープは、荷物に押されて自動的に退避し、荷物の移動を妨げる障害物にならないので、荷降ろしを非常にスムーズに行うことができる。
【００１５】
また、請求項２，４，５記載のトラックは、箱形荷台の２つの側壁が、上側平板と下側平板との接続部分によって効果的に補強されているので、側壁が荷物に押された時、中央部が変形する不具合（左右に膨出する不具合）が発生しにくい。また、可動床で荷物を後部ドアから搬出する時に荷物の移動を妨げるものがないので、荷降ろしを非常にスムーズに行うことができる。
【図面の簡単な説明】
【００１６】
【図１】本発明のトラックの一実施形態（空荷状態）を示す正面図（ａ）、平面図（ｂ）である。
【図２】この実施形態のトラック（空荷状態）を後部ドアの方から見た図である。
【図３】箱形荷台の構造を示す斜視図である。
【図４】箱形荷台が有する側壁の構造を示す図であって、側壁を後部ドアの方から見た図（ａ）、平面図（ｂ）である。
【図５】図３の箱形荷台の、２つの側壁、前壁及び可動床を透視した時の斜視図である。
【図６】可動床が荷物を移送する時の動作を模式的に示す平面図である。
【図７】可動床が荷物を移送する時の動作を模式的に示す平面図である。
【図８】この実施形態のトラックの箱形荷台に荷物が投入される前に、ロープを架設した状態を示す平面図（ａ）、箱形荷台に荷物が投入された状態示す平面図（ｂ）である。
【図９】この実施形態のトラックの荷降ろしを行っている様子を示す正面図（ａ）、平面図（ｂ）である。
【発明を実施するための形態】
【００１７】
以下、本発明のトラックの一実施形態について、図面に基づいて説明する。この実施形態のトラック１０は、燃料チップ、家畜用の飼料、各種廃棄物等、粒状、チップ状、その他固体の集合体であり、流動性を有した荷物Ｎを輸送するトラックであり、図１、図２に示すように、箱形荷台１２を有したトレーラ１４と、トレーラ１４の前方部分を牽引するトラクタ１６とで構成されている。箱形荷台１２は、トレーラ１４の車両ユニットの上部に設置されている。
【００１８】
トレーラ１４の箱形荷台１２は、底部の周囲が前壁１８、側壁２０，２２及び後部ドア２４によって囲まれ、天面が開口している略直方体の箱体であり、底部に、可動床２６と可動床駆動装置２８とが設けられている。荷物Ｎは、例えば箱形荷台１６の上部の開口から投入する形で搬入され、搬出する時は、可動床２６が用いて荷物Ｎを後方に移送し、後部ドア２４から落下させる。
【００１９】
箱形荷台１２は、図３に示すように、略長方形の上枠２８及び下枠３０と、上枠２８と下枠３０の各角部を上下に連結し支持する４つの支柱（左前支柱３２、左後支柱３４，右前支柱３３，右後支柱３５）とで略直方体の骨格が形成され、前側が前壁１８によって閉鎖され、左側が側壁２０によって閉鎖され、右側が側壁２２によって閉鎖され、後側には後部ドア２４が取り付けられて開閉可能になっている。上側は閉鎖されずに開放している。なお、図３では、後部ドア２４が省略されている。
【００２０】
左側の側壁２０は、図４（ａ）、（ｂ）に示すように、外壁である金属製の波板３８と、波板３８の内面の上側領域を覆うように波板３８に取り付けられた金属製の上側平板４０と、波板３８の内面の下側領域を覆うように波板３８に取り付けられた金属製の下側平板４２とで構成されている。なお、図４（ｂ）では、後述する左補助梁５０とカバー４８は省略してある。
【００２１】
波板３８は、使用状態において、上下方向と直交する水平方向の断面が波形に形成された略長方形の鉄板等である。上側平板４０は、上下方向の長さが波板３８の約1/2に設定された略長方形の鉄板等であり、下端部４０ａがＬ字状に屈曲して内側に突出している。下側平板４２は、上下方向の長さが波板３８の約1/2に設定された略長方形の鉄板等であり、上端部４２ａがＬ字状に屈曲して内側に突出している。
【００２２】
上側平板４０と下側平板４２は、下端部４０ａと上端部４２ａとが互いに重なっており、この重なった部分が、ネジ等の締結具４４を用いて相互に接続されている。そして、一体になった上側平板４０及び下側平板４２は、ネジ等の締結具４６を用いて波板３８に接続され、波板３８と一体化している。
【００２３】
上側平板４０と下側平板４２は、波板３８の凹凸をマスクし、側壁２０の内面を平坦にする働きをする。また、下端部４０ａ及び上端部４２ａを内側に突出させることによって、側壁２０の前後の支柱３２，３４間の撓みを抑え、前後方向中央部が変形しにくいように（外向きに膨出しにくいように）、波板３８の弱点を補強する働きをする。なお、カバー４８は、断面Ｌ字状に形成された長尺の鉄板等であり、内側に突出している下端部４０ａ、上端部４２ａ及び締結具４４，４６を覆うことによって、側壁２０の内面をなだらかにしている。
【００２４】
右側の側壁２２は、図４（ａ）、（ｂ）に示す側壁２０と左右対称な構造になっている。前壁１８は、外壁である金属製の波板に、内面全体を覆う１枚の金属製の平板が取り付けた構造になっている。
【００２５】
左側の側壁２０の、カバー４８よりも少し高い位置に、前後方向に長い左補助梁５０が設けられている。左補助梁５０は、長さ方向の複数の箇所が、側壁２０（波板３８及び上側平板４０）にしっかりと接続され、側壁２０と一体化している。また、図５に示すように、右側の側壁２２にも、前後方向に長い右補助梁５２が設けられている。右補助梁５２も同様に、長さ方向の複数の箇所が側壁２２にしっかりと接続され、側壁２２と一体化している。
【００２６】
また、箱形荷台１２には、略直方体の形状を安定化するため、図３、図５に示すように、上枠２８の前端部の内側を左右に連結する前補助梁５４が設けられ、上枠２８の後端部の内側を左右に連結する後補助梁５６が設けられている。また、左右補助梁５０，５２と前壁１８とが交差する部分が筋交５８によって補強され、上枠２８と後補助梁５６とが交差する部分が筋交５９によって補強されている。
【００２７】
２つの側壁２０，２２の内面には、後述するロープ６０(1)の基端部を固定するための第一のフック６２(1)と、ロープ６０(1)の先端部を着脱可能に保持するための第二のフック６４(1)とが左右一対に設けられている。第一のフック６２(1)は、例えば環状の金具であり、右補助梁５２の長さをほぼ３等分する２箇所のうちの前側の箇所に、溶接等の方法で取り付けられている。第二のフック６４(1)は、例えばＵ字状の金具であり、左補助梁５０の長さをほぼ３等分する２箇所のうちの前側の箇所に、Ｕ字の２つの先端部が後向きに開口するように、溶接等の方法で取り付けられている。
【００２８】
さらに、２つの側壁２０，２２の内面には、後述するロープ６０(2)の基端部を固定するための第一のフック６２(2)と、ロープ６０(2)の先端部を着脱可能に保持するための第二のフック６４(2)とが左右一対に設けられている。第一のフック６２(2)は、第一のフック６２(1)と同様に環状の金具であり、右補助梁５５の長さをほぼ３等分する２箇所のうちの後側の箇所に、溶接等の方法で取り付けられている。第二のフック６４(2)は、第二のフック６４(1)と同様にＵ字状の金具であり、左補助梁５０の長さをほぼ３等分する２箇所のうちの後側の箇所に、Ｕ字の２つの先端部が後向きに開口するように、溶接等の方法で取り付けられている。
【００２９】
また、右側の側壁２２の内面には、側壁２０，２２を相互に連結するための可動連結梁６６(1)が設けられている。可動連結梁６６(1)の基端部は、右補助梁５２の、第一のフック６２(1)の近傍に設けられた軸部６８(1)によって軸支されている。そして、右補助梁５２の、軸部６８(1)から可動連結梁６６(1)の長さ分だけ後側の位置に、可動連結梁６６(1)の先端部を着脱可能に固定する第一の固定部７０(1)が設けられ、左補助梁５０の、第二のフック６４(1)の近傍に、可動連結梁６６(1)の先端部を着脱可能に固定する第二の固定部７２(1)が設けられている。
【００３０】
さらに、左側の側壁２０の内面には、側壁２０，２２を相互に連結するための可動連結梁６６(2)が設けられている。可動連結梁６６(2)の基端部は、左補助梁５０の、第二のフック６４(2)の近傍に設けられた軸部６８(2)によって軸支されている。そして、左補助梁５０の、軸部６８(2)から可動連結梁６６(2)の長さ分だけ前側の位置に、可動連結梁６６(2)の先端部を着脱可能に固定する第一の固定部７０(2)が設けられ、右補助梁５２の、第一のフック６２(2)の近傍に、可動連結梁６６(2)の先端部を着脱可能に固定する第二の固定部７２(2)が設けられている。
【００３１】
この箱形荷台１２は、例えば、一般的な海上コンテナを改造することによって製作することができる。すなわち、海上コンテナの天板を取り外し、左右の側面を構成している波板（波板３８）の内側に平板（上側平板４０及び下側平板４２）を取り付け、前面を構成している波板の内側に平板を取り付け、複数の補助梁等を取り付けることにより、容易かつ安価に製作することができる。
【００３２】
箱形荷台１２の底部には、箱形荷台１２に投入された荷物Ｎを後部ドア２４の方向に移送するための可動床２６及び可動床駆動装置２８が設けられている。図２、図３に示すように、可動床２６は、前後方向に長い複数の床部材２６ａが左右方向に並設されたものであり、複数の床部材２６ａの上面で荷物Ｎを受け、複数の床部材２６ａが所定の順番で前後方向に往復移動することによって荷物Ｎを移送する。可動床駆動装置２８は、可動床２６の下方に配置され、複数の床部材２６ａが往復移動する動作を制御する。
【００３３】
可動床２６の動作原理は、図６、図７のように表すことができる。例えば、合計１２個の床部材２６ａで搬送物Ｄを移送する場合、まず、互いに離れた位置にある４個の床部材２６ａ(1)が後退する。この動作が行われても、搬送物Ｄと接する他の可動床材２６ａ(2)，２６ａ(3)による摩擦抵抗の方が大きいので、搬送物Ｄは移動しない。次に、互いに離れた位置にある４個の床部材２６ａ(2)が後退する。この動作が行われても、上記と同様に搬送物Ｄは移動しない。さらに、互いに離れた位置にある４個の床部材２６a(3)が後退する。この動作時も上記のように搬送物Ｄは移動しない。そして、１２個の床部材２６ａ全体が同時に前進すると、搬送物Ｄが床部材２６ａとともに移動する。このように、可動床２６は、床部材２６ａと搬送物との間に発生する摩擦を利用した装置であり、図６、図７の動作を繰り返すことによって、搬送物Ｄを間欠的な駆動により後部ドアの方向に移送することができる。
【００３４】
トラック１０で荷物Ｎを輸送する時は、箱形荷台１２に荷物Ｎを入れる前に、箱形荷台１２のセッティングを行う。まず、可動連結梁６６(1)，６６(2)を退避させる作業を行う。可動連結梁６６(1)は、側壁２２の側に倒し、先端部を第一の固定部７０(1)に固定することによって退避させることができ、可動連結梁６６(2)は、側壁２０の側に倒し、先端部を第一の固定部７０(2)に固定することによって退避させることができる。さらに、ロープ６０(1)，６０(2)を用意して、２つの側壁２０，２２の間に架設する作業を行う。ロープ６０(1)を架設する時は、基端部を環状の金具で成る第一のフック６２(1)に外れないように固定し、先端部に輪を形成した後、その輪をＵ字状の金具で成る第二のフック６４(1)に引っ掛けて保持させる。ロープ６０(2)を架設する時は、基端部を環状の金具で成る第一のフック６２(2)に外れないように固定し、先端部に輪を形成した後、その輪をＵ字状の金具で成る第二のフック６４(1)に引っ掛けて保持させる。その後、後部ドア２４を閉じると図８（ａ）に示す状態になり、セッティングが終了する。
【００３５】
箱形荷台１２のセッティングが終了すると、箱形荷台１２に荷物Ｎを搬入する。荷物Ｎは、燃料チップ、家畜用の飼料、各種廃棄物等の流動性を有した固体であり、例えばホッパ状に形成された貯蔵タンクの下部の搬出口から送り出され、箱形荷台１２の上部の開口から投入される。荷物Ｎは、箱形荷台１２の上端付近まで入れられ、図８（ｂ）に示す状態で輸送される。
【００３６】
この状態では、ロープ６０(1)，６０(2)が荷物Ｎに埋まっており、輸送中に振動が加わったとしても、先端部の輪が第二のフック６４(1)，６４(2)から外れることはない。したがって、ロープ６０(1)，６０(2)により、２つの側壁２０，２２の中央部の離間距離が一定以上にならないように制限され、輸送中、側壁２０，２２が荷物Ｎに強く押されても、中央部が変形する不具合（左右に膨出する不具合）は発生しない。また、側壁２０，２２の上側平板４０及び下側平板４２の接続部分が内側に突出しているという構成と、左補助梁５０及び右補助梁５２が一体に取り付けられているという構成も、側壁２０，２２を変形しにくくすることに寄与している。
【００３７】
荷物Ｎを輸送した後、荷降ろしする時は、図９（ａ）に示すように、後部ドア２４を開き、可動床２６を動作させて荷物Ｎを後部ドア２４の方向に移送する。荷物Ｎが移動し始めると、ロープ６０(1)，６０(2)が荷物に押され、先端部の輪が第二のフック６４(1)，６４(2)から外れる。そして、図９（ｂ）に示すように、ロープ６０(1)，６０(2)が側壁２２の側に自動的に退避する。ロープ６０(1)，６０(2)が退避すると、荷物Ｎの移動を妨げる障害物にならないので、荷物Ｎがスムーズに移動することができる。また、側壁２０，２２の中央部が外向きに膨出すると荷物Ｎが移動しにくくなるところ、上記のように、側壁２０，２２の上側平板４０と下側平板４２の下端部４０ａ及び上端部４２ａが内側に突出しているので、波板３８と１枚の平板のみの場合と比較して、側壁２０，２２の前後方向における撓みが抑えられ、特に側壁２０，２２の前後方向中央部の外向きの変形が抑えられているので、荷物Ｎはスムーズに移動することができる。
【００３８】
トラック１０を空荷状態で運行させる時は、箱形荷台１２のセッティングを変更する。まず、側壁２２の側に退避している可動連結梁６６(1)を起こし、先端部を側壁２０の第二の固定部７２(1)に固定して、側壁２０，２２を可動連結梁６６(1)で連結する。同様に、側壁２０の側に退避している可動連結梁６６(2)を起こし、先端部を側壁２０の第二の固定部７２(1)に固定して、側壁２０，２２を可動連結梁６６(2)で連結する。その後、後部ドア２４を閉じると、箱形荷台１２のセッティングが終了する。
【００３９】
空荷の時は、側壁２０，２２をロープ６０(1)，６０(2)で連結すると、ロープ６０(1)，６０(2)の各先端部が振動で外れてしまうおそれがある。しかし、可動連結梁６６(1)，６６(2)で連結すれば、振動で外れる心配がない。
【００４０】
以上説明したように、トラック１０は、海上コンテナ等を利用して容易かつ安価に製作できる箱形荷台１２と、可動床２６を用いたシンプルな荷物搬出機構とを備え、荷物Ｎの比重が多少大きい場合でも、輸送と荷降ろしを良好に行うことができる。特に、箱形荷台１２の独特な構造により、側壁２０，２２の中央部が変形する不具合（左右に膨出する不具合）が防止され、さらに波板３８の弱点を補強して、側壁２０，２２の前後方向中央部の膨らみを抑え、荷降ろしも非常にスムーズに行うことができる。
【００４１】
なお、本発明のトラックは、上記実施形態に限定されるものではない。例えば、トラック１０の箱形荷台１２は、左右の側壁にロープを架設する構成が２組、左右の側壁を可動連結梁で連結する構成が２組設けられているが、各構成の数は増減することができる。例えば、箱形荷台の前後の長さが箱形荷台１２よりも長い時や、荷物の比重が荷物Ｎよりも大きい時は、側壁の中央部が相対的に変形しやすくなる（左右に膨出しやすくなる）ので、各構成の数をもっと増やすことが好ましい。反対に、箱形荷台の前後の長さが箱形荷台１２よりも短い時や、荷物の比重が荷物Ｎよりも小さい時は、側壁の中央部が相対的に変形しにくくなる（左右に膨出しにくくなる）ので、各構成の数を減らすことができる。また、空荷の時に使用される可動連結梁については、省略することも可能である。
【００４２】
また、側壁の上側平板及び下側平板の接続部分が内側に突出している構成と、左右の側壁にロープを架設する構成は、必ず両方を備えていなければならないわけではなく、側壁の中央部が変形しないことが確認できれば、どちらか一方を省略してもよい。
【００４３】
箱形荷台の側壁を、外壁の内面に上側平板及び下側平板を固定した構造にする場合、外壁は、波板とは異なるものであってもよい。上記の箱形荷台１２は、外壁が波板３８であり、一般的な海上コンテナを改造することによって容易に製作することができる。しかし、箱形荷台は、海上コンテナ以外の箱体を改造して製作してもよいし、すべてを新規に製作してもよく、外壁は、内面の形状が上側平板及び下側平板を固定しやすい形状であれば、波板以外の構造物であってもよい。
【００４４】
その他、トラックの形態は、トラクタでトレーラを牽引するタイプでもよいし、それ以外の単車と呼ばれるタイプでもよい。
【符号の説明】
【００４５】
１０  トラック
１２  箱形荷台
１８  前壁
２０，２２  側壁
２４  後部ドア
２６  可動床
２６ａ  床部材
４０  上側平板
４０ａ  下端部
４２  下側平板
４２ａ  上端部
６０(1)，６０(2)  ロープ
６２(1)，６２(2)  第一のフック
６４(1)，６４(2)  第二のフック
６６(1)，６６(2)  可動連結梁
６８(1)，６８(2)  軸部
７０(1)，７０(2)  第一の固定部
７２(1)，７２(2)  第二の固定部
Ｎ  荷物
【図１】
2020029106.tif 000003
【図２】
2020029106.tif 000004
【図３】
2020029106.tif 000005
【図４】
2020029106.tif 000006
【図５】
2020029106.tif 000007
【図６】
2020029106.tif 000008
【図７】
2020029106.tif 000009
【図８】
2020029106.tif 000010
【図９】
2020029106.tif 000011